(57)【要約】    【課題】  シャッタ装置に於いてデッドスペースをなくして、開口部の有効開口を大きくしようとする。    【解決手段】  開口部３に臨接する部材１６に取付けられたガイドレール７と、該ガイドレールに沿って移動自在に設けられたシャッタカーテン８と、前記部材に回転可能に取付けられ前記シャッタカーテンの端部を覆う補助部材１９と、該補助部材を閉状態に維持する補助部材固定手段２２とを具備し、前記補助部材の開状態で該補助部材が前記開口部より退避する。    【選択図】          図１
2005180084.tif 000002
【特許請求の範囲】
【請求項１】
開口部に臨接する部材に取付けられたガイドレールと、該ガイドレールに沿って移動自在に設けられたシャッタカーテンと、前記部材に回転可能に取付けられ前記シャッタカーテンの端部を覆う補助部材と、該補助部材を閉状態に維持する補助部材固定手段とを具備し、前記補助部材の開状態で該補助部材が前記開口部より退避することを特徴とするシャッタ装置。
【請求項２】
前記補助部材にシール材が設けられ、前記補助部材が閉状態で前記シール材がシャッタカーテンの端部に弾性的に接触する請求項１のシャッタ装置。
【請求項３】
前記シャッタカーテンの開閉時に前記シール材がシャッタカーテンから離反する様に回転する請求項２のシャッタ装置。
【発明の詳細な説明】
【技術分野】
【０００１】
本発明は、建屋等の構築構造物の出入口等の開口部に設けられるシャッタ装置、特にオーバヘッドドアに関するものである。
【背景技術】
【０００２】
建屋等の構築構造物の出入口、窓等の開口部、或は車両のコンテナ、荷台の開口部等を開閉する開閉手段としてシャッタ装置があり、又シャッタ装置の１つとしてオーバヘッドドアがある。該オーバヘッドドアは複数のパネルを連結したシャッタカーテンを具備し、該シャッタカーテンをガイドレールに沿って昇降させる構成となっている。
【０００３】
図８、図９に於いて従来のオーバヘッドドアについて説明する。
【０００４】
図中、１は建屋、２は壁等の躯体、３は出入口である開口部を示す。
【０００５】
前記躯体２に沿って側柱４が設けられ、該側柱４と前記躯体２に掛渡って、側枠５が設けられている。
【０００６】
前記側柱４には屋内側に向ってガイドレール支持部材６が取付けられ、該ガイドレール支持部材６には上下方向に延びるガイドレール７が固着されている。
【０００７】
シャッタカーテン８はパネル９を連結して構成されたものであり、該パネル９の端部屋内側にはローラ支持部材１１が取付けられ、該ローラ支持部材１１にガイドローラ１２がシャフト１３を介して回転自在に設けられている。
【０００８】
前記ガイドローラ１２は前記ガイドレール７に転動自在に嵌合しており、前記シャッタカーテン８即ちパネル９が昇降すると、前記ガイドローラ１２が前記ガイドレール７内を転動して昇降することで、前記パネル９が前記ガイドレール７に案内され昇降される。
【０００９】
前記パネル９の端部と前記側枠５とはオーバラップしており、該側枠５の屋内側内縁部にはシール材１４が設けられ、該シール材１４は前記シャッタカーテン８の閉状態で該シャッタカーテン８の前面に弾性的に接触する様になっており、該シャッタカーテン８の端部を気密とし、該端部からの風雨の吹込みを防止している。
【００１０】
前記シャッタカーテン８の下端にワイヤロープ（図示せず）が係着され、該ワイヤロープはドラム１５に巻取られ、該ドラム１５はバランススプリング（図示せず）により巻取方向に付勢されている。バランススプリングの付勢により、前記シャッタカーテン８は軽い力で開閉できる。
【００１１】
上記した従来のオーバヘッドドアは、例えば特許文献１に示されている。
【００１２】
然し乍ら、斯かる従来のオーバヘッドドアでは、前記シャッタカーテン８の気密性を確保する為に前記シール材１４が設けられ、該シール材１４を設ける為に前記パネル９と前記側枠５がオーバラップする必要があり、この為、図９で示す様に、Ｌ分のデッドスペースが発生し、その分開口部Ｗが小さくなっていた。
【００１３】
【特許文献１】特開平８−１３９５０号公報
【発明の開示】
【発明が解決しようとする課題】
【００１４】
本発明は斯かる実情に鑑み、シャッタ装置に於いてデッドスペースをなくして、開口部の有効開口を大きくしようとするものである。
【課題を解決するための手段】
【００１５】
本発明は、開口部に臨接する部材に取付けられたガイドレールと、該ガイドレールに沿って移動自在に設けられたシャッタカーテンと、前記部材に回転可能に取付けられ前記シャッタカーテンの端部を覆う補助部材と、該補助部材を閉状態に維持する補助部材固定手段とを具備し、前記補助部材の開状態で該補助部材が前記開口部より退避するシャッタ装置に係り、又前記補助部材にシール材が設けられ、前記補助部材が閉状態で前記シール材がシャッタカーテンの端部に弾性的に接触するシャッタ装置に係り、更に又前記シャッタカーテンの開閉時に前記シール材がシャッタカーテンから離反する様に回転するシャッタ装置に係るものである。
【発明の効果】
【００１６】
本発明によれば、開口部に臨接する部材に取付けられたガイドレールと、該ガイドレールに沿って移動自在に設けられたシャッタカーテンと、前記部材に回転可能に取付けられ前記シャッタカーテンの端部を覆う補助部材と、該補助部材を閉状態に維持する補助部材固定手段とを具備し、前記補助部材の開状態で該補助部材が前記開口部より退避するので、開口部の有効開口を大きくでき、スペースを有効に利用できる。
【００１７】
又本発明によれば、前記補助部材にシール材が設けられ、前記補助部材が閉状態で前記シール材がシャッタカーテンの端部に弾性的に接触するので、気密性を向上したシャッタ装置を提供できる。
【００１８】
更に又本発明によれば、前記シャッタカーテンの開閉時に前記シール材がシャッタカーテンから離反する様に回転するので、前記シール材とシャッタカーテンの摺動が軽減され、摩擦による摩耗が減少し、シール材の耐久性が増大する等の優れた効果を発揮する。
【発明を実施するための最良の形態】
【００１９】
以下、図面を参照しつつ本発明を実施する為の最良の形態を説明する。
【００２０】
図１〜図３に於いて第１の実施の形態について説明する。
【００２１】
尚、図１、図３は、図８のＢ−Ｂ矢視図に相当し、図中、図９中で示したものと同等のものには同符号を付してある。又、図１〜図３はシャッタ装置であるオーバヘッドドアの開口部に臨接する一側部分のみを示している。
【００２２】
躯体２に開口部３が設けられ、該開口部３に臨接して側柱１６が前記躯体２に設けられる。前記側柱１６は中空断面であり、前記開口部３に臨接する屋内側の縁部に上下方向に延びる段差部１７が形成されており、該段差部１７にガイドレール７が前記段差部１７を充足する様に取付けられている。
【００２３】
シャッタカーテン８は、パネル９が屈曲自在に連結されて構成され、各パネル９には水平方向に突出するシャフト１３が固着され、該シャフト１３の先端部にガイドローラ１２が回転自在に設けられている。該ガイドローラ１２は前記ガイドレール７に転動自在に嵌合し、前記パネル９は前記ガイドローラ１２を介して前記ガイドレール７にガイドされ、昇降可能となっている。
【００２４】
前記側柱１６に補助部材１９が蝶番２１を介して回転自在に取付けられている。前記補助部材１９は前記側柱１６と同様の長さを有し、断面が中空で矩形形状をしており、前記側柱１６の前記開口部３に臨接する面に密着した状態では、前記側柱１６の屋外側面と前記補助部材１９の屋外側面とは面一となる様になっている。又、前記蝶番２１には図示していないが、スプリングが内蔵されており、前記補助部材１９を開方向（図１中時計方向）に回転する様に付勢している。
【００２５】
該補助部材１９の下端部、上端部の少なくとも一方（図示では下端部）に該補助部材１９を閉鎖状態に固定する手段である補助部材固定具２２が設けられている。
【００２６】
該補助部材固定具２２は、前記補助部材１９の開口部側面に固着されたロッドホルダ２３と、該ロッドホルダ２３に嵌合され、上下方向に摺動自在なロッド２４とを有し、前記ロッドホルダ２３には縦方向に延びるコの字状の溝２５が穿設され、該溝２５内を前記ロッド２４に突設されたレバー２６が移動可能となっている。而して、前記ロッド２４は前記レバー２６を上下させることで、上下方向に移動し、該レバー２６を上端、下端で水平方向に回転させることで、位置が保持される様になっている。又、床面２０には前記補助部材１９が閉状態で前記ロッド２４の位置と合致する様に固定穴２７が設けられ、該固定穴２７に前記ロッド２４の下端部が嵌脱可能となっている。
【００２７】
前記補助部材１９の屋内側内縁部にはシール材１４が設けられ、該シール材１４は前記シャッタカーテン８の閉状態で該シャッタカーテン８の前面に弾性的に接触する様になっており、該シャッタカーテン８の端部と前記補助部材１９間を気密とし、前記端部からの風雨の吹込みを防止している。前記シール材１４は、閉状態の前記シャッタカーテン８の気密・水密等の密閉性向上及び見栄えや断熱性の向上等の効果、目的にて設けられ、好ましくは、閉状態の前記シャッタカーテン８の端部の略全長を覆う様に一連に設けられているのがよい。
【００２８】
又、図示していないが、前記補助部材１９と前記側柱１６との間にはシール部材が挾設されており、前記補助部材１９の閉状態で該補助部材１９と前記側柱１６との間が気密となる様になっている。
【００２９】
前記シャッタカーテン８が閉状態では、前記補助部材１９も閉じられており、前記ロッド２４が前記固定穴２７に嵌入した状態となっている。
【００３０】
前記シャッタカーテン８を開く場合は、前記レバー２６を介して前記ロッド２４を引上げ、前記レバー２６を回転させ、該レバー２６の引上げ状態を維持させる。前記蝶番２１に内蔵されたスプリングにより前記補助部材１９が開方向に回転し、図３に示される様に、該補助部材１９が前記開口部３から退避し、該開口部３の側方に移動する。
【００３１】
而して、前記シャッタカーテン８を昇降させる。該シャッタカーテン８の昇降時に前記シール材１４が前記開口部３の側方に逃げているので、前記シール材１４と前記パネル９との摺動がなく、前記シール材１４の摩耗が避けられる。
【００３２】
尚、前記シャッタカーテン８を上昇させた後、前記補助部材１９を開状態としてもよい。
【００３３】
該補助部材１９が開状態となることで、該補助部材１９が前記開口部３で占有する空間が開放され、デッドスペース（即ち、前記シール材１４でシールする為に必要となる前記パネル９と前記補助部材１９とのオーバラップ部分）がなくなり、前記開口部３を大きく使用できる。
【００３４】
前記シャッタカーテン８の閉動作、前記補助部材１９の閉動作は上記した手順の逆を行うことでなされる。
【００３５】
上記第１の実施の形態に於いて、前記側柱１６に段差部１７を形成せず、前記側柱１６の断面を矩形断面とし、前記ガイドレール７を前記側柱１６の前記開口部３に臨接する面に取付けてもよい。
【００３６】
図４は第２の実施の形態を示しており、図４中、図１中で示したものと同等のものには同符号を付し、図４は補助部材１９の閉状態を示している。
【００３７】
該第２の実施の形態では、前記補助部材１９を固定する手段として補助部材固定具２８を用いたものである。尚、蝶番２１は省略しており、該蝶番２１は第１の実施の形態と同様、前記補助部材１９を開方向（図４中時計方向）に回転する様に付勢するスプリングが内蔵されている。
【００３８】
前記補助部材固定具２８は、前記補助部材１９の上端部、下端部の少なくとも一方に設けられる。
【００３９】
シリンダキー２９が前記補助部材１９を屋外側から屋内側に貫通する様に設けられ、屋内側には鍵軸３０が突出し、該鍵軸３０の先端には鍵プレート３２が固着されている。シャッタカーテン８の最下段のパネル９の屋外側には鍵受け３３が設けられ、前記シャッタカーテン８の閉状態で、前記鍵受け３３が前記鍵軸３０に対峙する位置となる様に設定されている。
【００４０】
尚、前記蝶番２１と前記シリンダキー２９とは上下方向に位置がずれており、相互に干渉しない様になっている。
【００４１】
前記シャッタカーテン８が降下され、開口部３を閉じた状態で、前記補助部材１９が閉状態とされ、前記シリンダキー２９にキー（図示せず）を差込み、前記鍵軸３０を回転させて、前記鍵プレート３２と前記鍵受け３３とを係合させる。
【００４２】
前記鍵プレート３２と前記鍵受け３３との係合により、前記補助部材１９は回転が拘束され、該補助部材１９の閉状態が維持され、前記シャッタカーテン８は前記鍵受け３３と前記鍵プレート３２との係合により上下方向の動きが拘束され、施錠される。
【００４３】
又、側柱１６の開口部側面の前記鍵プレート３２と対向する位置にスリット孔３４を穿設しておけば、前記鍵軸３０を図示の状態から１８０°回転させることで、前記鍵プレート３２が前記スリット孔３４に嵌入し、前記補助部材１９の回転が拘束されると共に前記シャッタカーテン８の施錠状態が解除され、前記補助部材１９が閉じた状態で前記シャッタカーテン８の開閉が可能となる。
【００４４】
次に、前記開口部３を完全に解放する場合は、前記鍵軸３０を図示の状態から９０°回転させることで、前記シャッタカーテン８の施錠状態の解除と前記補助部材１９の閉状態の解除が行われ、該補助部材１９がスプリングの付勢力により開方向に回転する（図３参照）。
【００４５】
図５は、第３の実施の形態を示している。尚、図５中、図１中で示したものと同等のものには同符号を付しその説明を省略する。
【００４６】
該第３の実施の形態では、蝶番２１に内蔵されるスプリング（図示せず）は補助部材１９を閉方向に回転する様に付勢している。
【００４７】
該補助部材１９の屋外側面の所要位置にマグネット３５を取付け、側柱１６の屋外側面に鉄板等の磁性体の吸着板３６を取付ける。該吸着板３６は前記補助部材１９が回転して開状態となった場合に、前記マグネット３５と合致する位置に配置されている。
【００４８】
前記補助部材１９の閉状態は前記蝶番２１に内蔵されるスプリングにより維持される。従って、第３の実施の形態の場合、前記蝶番２１に内蔵されるスプリングが補助部材固定手段として機能する。前記補助部材１９の開状態は、前記補助部材１９を完全に開くことで、前記マグネット３５と前記吸着板３６とが吸着し、磁力による吸着で維持される。
【００４９】
而して、前記補助部材１９の開状態、閉状態の変更はいずれも１作動で行え、極めて簡単である。
【００５０】
尚、前記側柱１６の材質を鋼材等とすれば、前記吸着板３６は省略できる。
【００５１】
又、前記補助部材１９の回転とシャッタカーテン８の昇降とを連動させ、該シャッタカーテン８の上昇により前記補助部材１９を開方向に回転させ、前記シャッタカーテン８の下降により、前記補助部材１９を閉方向に回転させる様にしてもよい。
【００５２】
又、補助部材固定手段として、前記補助部材固定具２２、補助部材固定具２８等の他にも種々考えられ、例えば前記補助部材１９の下端面に鋼球の一部が突出する様に設けると共に該鋼球をスプリングで突出方向に付勢し、床面２０には前記鋼球が嵌脱可能な凹部を設け、前記補助部材１９の閉状態で鋼球が凹部に嵌合して閉状態を維持する様にしてもよい。
【００５３】
図６、図７は第４の実施の形態を示している。尚、図６、図７中、図１中で示したものと同等のものには同符号を付し、その説明を省略する。
【００５４】
該第４の実施の形態では、側柱１６と補助部材１９間の密閉性を向上させたものであり、前記側柱１６と補助部材１９の当接面に段差部１６ａ，１９ａを形成したものである。
【００５５】
前記段差部１６ａ，１９ａを形成することで、密閉性、即ち気密性、水密性が向上する。更に、前記側柱１６と前記補助部材１９との隙間からの光漏れが防止できる。
【００５６】
尚、段差部１６ａ，１９ａの代りに側柱１６、補助部材１９のいずれか一方の接合面に溝を形成し、他方の接合面に前記溝に嵌合する突条を形成してもよい。
【００５７】
又、本発明に於いて、側柱１６を省略し、ガイドレール７を直接躯体２に取付けてもよく、この場合は前記補助部材１９は前記躯体２に取付けられる。
【００５８】
又、前記シャッタカーテン８は昇降して開閉するものに限らず、水平方向或は斜めにスライドして開閉するシャッタ装置に実施可能であることは言う迄もない。更に、気密性を必要としない場合は、前記シール材１４を省略してもよい。
【図面の簡単な説明】
【００５９】
【図１】本発明の第１の実施の形態の要部を示す平断面図である。
【図２】図１のＡ−Ａ矢視図である。
【図３】本発明の第１の実施の形態の要部を示す平断面図である。
【図４】本発明の第２の実施の形態の要部を示す平断面図である。
【図５】本発明の第３の実施の形態の要部を示す平断面図である。
【図６】本発明の第４の実施の形態の要部を示す平断面図である。
【図７】本発明の第４の実施の形態の要部を示す平断面図である。
【図８】従来例を示す側面図である。
【図９】図８のＢ−Ｂ矢視図である。
【符号の説明】
【００６０】
７              ガイドレール
８              シャッタカーテン
９              パネル
１４            シール材
１６            側柱
１７            段差部
２１            蝶番
２２            補助部材固定具
２４            ロッド
２７            固定穴
２８            補助部材固定具
２９            シリンダキー
３２            鍵プレート
３３            鍵受け
３５            マグネット
【図１】
2005180084.tif 000003
【図２】
2005180084.tif 000004
【図３】
2005180084.tif 000005
【図４】
2005180084.tif 000006
【図５】
2005180084.tif 000007
【図６】
2005180084.tif 000008
【図７】
2005180084.tif 000009
【図８】
2005180084.tif 000010
【図９】
2005180084.tif 000011